(57)【要約】【課題】ユーザが希望する動画を再生の操作をすることなく、移動端末が非活性状態から活性状態に切り換えられる際に既保存の動画メディアを再生して、画面全体に出力するという新たな方式で動画メディアを提供する。【解決手段】本発明は、移動端末の制御方法において、保存部が、少なくとも一つの動画メディアを保存する第１の段階、制御部が、前記移動端末が非活性状態から活性状態に切り換えられて、初期画面に遷移する前に、前記保存された動画メディアから既選択された少なくとも１つの動画メディアのうち、任意の動画メディアを再生して、画面全体に出力し、前記初期画面に遷移するためのユーザ命令の入力を受けるためのインタフェースを提供する第２の段階および前記制御部が、前記ユーザ命令に従って前記初期画面に遷移する第３の段階を含む移動端末の制御方法を提供する。【選択図】図２
2017225103.tif 000002
【特許請求の範囲】
【請求項１】
移動端末の制御方法において、
保存部が、少なくとも一つの動画メディアを保存する第１の段階と、
制御部が、前記移動端末が非活性状態から活性状態に切り換えられて、初期画面に遷移する前に、前記保存された動画メディアから既選択された少なくとも１つの動画メディアのうち、任意の動画メディアを再生して、画面全体に出力し、前記初期画面に遷移するためのユーザ命令の入力を受けるためのインタフェースを提供する第２の段階と、
前記制御部が、前記ユーザ命令に従って前記初期画面に遷移する第３の段階と、
を含む移動端末の制御方法。
【請求項２】
前記初期画面は、
ロック解除の入力を受けるためのインタフェースを含むロック画面または前記保存部に保存されたプログラムの実行命令の入力を受けるためのインタフェースを含む背景画面であることを特徴とする請求項１に記載の移動端末の制御方法。
【請求項３】
前記初期画面に遷移するためのユーザ命令は、前記画面のいずれかの領域へのタッチ入力で行われるが、
前記第２の段階は、
前記画面のいずれかの領域へのタッチ入力により、前記初期画面に遷移することを防止するための入力を受けるためのインタフェースを提供することを特徴とする請求項１に記載の移動端末の制御方法。
【請求項４】
前記第２の段階は、
前記初期画面に遷移することなく、既選択された少なくとも１つの動画メディアリストまたは前記保存部に保存された少なくとも１つの動画メディアリストのうち、現在再生する動画メディアへの選択入力を受けるためのインタフェースを提供することを特徴とする請求項１ないし３のいずれかの一項に記載の移動端末の制御方法。
【請求項５】
前記制御部は、動画メディア提供サーバから提供される動画メディアリストのうち、選択された少なくとも一つの動画メディアをダウンロードする段階と、
前記ダウンロードした動画メディアを前記保存部に保存する段階と、
をさらに含むことを特徴とする請求項１に記載の移動端末の制御方法。
【請求項６】
前記ダウンロードする段階は、
前記ダウンロード途中、広告提供サーバから提供される広告リストのうち、任意の広告を画面に出力することを特徴とする請求項５に記載の移動端末の制御方法。
【請求項７】
前記制御部は、前記保存部に保存された動画メディアのうち前記ユーザから選択された動画メディアを前記動画メディア提供サーバにアップロードする段階と、
をさらに含むことを特徴とする請求項５に記載の移動端末の制御方法。
【請求項８】
前記アップロードする段階は、
前記アップロード途中、広告提供サーバから提供される広告リストのうち、任意の広告を画面に出力することを特徴とする請求項７に記載の移動端末の制御方法。
【請求項９】
前記保存部は、既設定の曜日別の動画メディアの再生リストを保存する段階と、
前記第２の段階は、
前記曜日別の動画メディアの再生リストのうちの現在の曜日に対応する動画メディアの再生リストのうち、任意の動画メディアを再生して画面に出力することを特徴とする請求項１に記載の移動端末の制御方法。
【請求項１０】
転送しようとする少なくとも一つの動画メディア、前記少なくとも１つの動画メディアを転送しようとする相手端末、および前記少なくとも１つの動画メディアを転送しようとする時刻に関する情報を前記ユーザから入力される段階と、
前記転送しようとする相手端末、前記転送しようとする時刻、前記転送しようとする動画メディアに関する情報をタイムカプセルサーバに転送する段階と、
前記タイムカプセルサーバは、前記の時刻になると、前記相手端末にアラーム信号を伝送する段階と、
前記タイムカプセルサーバは、前記相手端末から受信した要請に従って前記少なくとも一つの動画メディアを前記相手端末に転送する段階と、
をさらに含むことを特徴とする請求項１に記載の移動端末の制御方法。
【請求項１１】
前記保存部は、
前記少なくとも一つの動画メディアを保存するための第１の保存部と、
少なくとも一つのサウンドメディアを保存するための第２の保存部と、
を含み、
前記制御部は、前記ユーザから選択された前記第１の保存部の動画メディアと前記第２の保存部のサウンドメディアのそれぞれの音量調整入力を受けるためのインタフェースを提供する段階と、
前記音量調整入力によって決められた音量で、前記第１の保存部の動画メディアと前記第２の保存部のサウンドメディアとをマージする段階と、
をさらに含むことを特徴とする請求項１に記載の移動端末の制御方法。
【請求項１２】
現在の時刻が既設定されたアラーム時刻であるかどうかを判断する段階と、
前記現在の時刻が既設定されたアラーム時刻の場合、前記既設定された少なくとも１つの動画メディアのうち、任意の動画メディアを再生して、画面全体に出力する段階と、
を含むことを特徴とする請求項１に記載の移動端末の制御方法。
【請求項１３】
移動端末において、
少なくとも一つの動画メディアを保存する保存部と、
前記移動端末が非活性状態から活性状態に切り換えられて、初期画面に遷移する前に、前記保存された動画メディアから既選択された少なくとも１つの動画メディアのうち、任意の動画メディアを再生して、画面全体に出力し、前記初期画面に遷移するためのユーザ命令の入力を受けるためのインタフェースを提供する制御部と、
を含む動画メディアを提供するための移動端末。
【請求項１４】
請求項１３に記載の移動端末と、
前記移動端末に前記動画メディアを転送したり、前記移動端末から前記動画メディアを転送されて保存する動画メディア提供サーバと、
を含む動画メディアを提供するためのシステム。
【請求項１５】
請求項１ないし３および請求項５ないし１２のうちのいずれか一項に記載の方法を実行するためのコンピュータプログラムを記録するためのコンピュータ読み取り可能な記録媒体。
【発明の詳細な説明】
【技術分野】
【０００１】
本発明は、動画メディアを提供するための移動端末、これを含むシステムおよびその制御方法に関するもので、より詳細には、非活性状態の移動端末が活性状態に切り換えられたときに一番先に駆動される動画メディアプレーヤーを搭載した移動端末、これを含むシステムおよびその制御方法に関する。
【背景技術】
【０００２】
端末（ｔｅｒｍｉｎａｌ）は、移動が可能か否かによって、移動端末（ｍｏｂｉｌｅ ｔｅｒｍｉｎａｌ又はｐｏｒｔａｂｌｅ ｔｅｒｍｉｎａｌ）と固定端末（ｓｔａｔｉｏｎａｒｙ ｔｅｒｍｉｎａｌ）とに分けられる。
【０００３】
そのうち、移動端末は、機能の多様化に伴い、例えば、写真や動画の撮影、音楽や動画ファイルの再生、ゲーム、放送の受信などの複合的な機能を備えたマルチメディア機器（ｍｕｌｔｉｍｅｄｉａ  ｐｌａｙｅｒ）の形で具現されている。
【０００４】
最近、ある報告書によれば、ユーザの９０％以上が、一日のうち、目を覚まして一番先にする行動パターンの一つが、移動端末を操作することとしている。
【０００５】
すなわち、ユーザは、移動端末を介した多様なコンテンツを消費することで、様々な世界を経験し、共有し、学習しており、現実とはまた別の世界で生きているといっても過言ではない。中毒以上の存在価値となってしまった現実に対して価値以上の価値を生み出している。
【０００６】
ユーザは、移動端末の背景画面を、最も大切な人等の写真を写真として設定したり、その写真を大事にする行為で情緒が安定となり、その写真のうちに溶け込まれている家族、恋人、友人、芸能人又は日常、旅行などの様々なストーリーを詰め込み、自分の空間的価値を追求する。いつでも見られ、いつでも思い浮かべることができるからである。
【０００７】
こうした流れのうちで、最近では、ユーザが移動端末を操作するたびに、ユーザの感性を刺激して、ユーザの満足度を高めることができる新たな技術が続々と登場しているのが実情である。
【０００８】
一例として、移動端末の初期画面にユーザが設定した動画を再生して、画面に出力する技術が登場したが、このような方式によって再生される動画の画面は、プログラムのアイコンによってほとんど見えなくなってしまうので、ユーザが動画に気を留めなくなるという問題があり、また、動画プレーヤーが初期画面のバックグラウンドで常時駆動されるため、システムリソースの一部が常にその動画プレーヤーに割り当てられなければならず、これは、初期画面において動作する複数のプログラムの駆動に影響を与えるという問題がある。
【発明の概要】
【発明が解決しようとする課題】
【０００９】
本発明は、コンテンツ消費へのユーザの満足度を高めるためのものであって、ユーザが希望する動画を再生の操作をすることなく、移動端末が非活性状態から活性状態に切り換えられる際に既保存の動画メディアを再生して、画面全体に出力するという新たな方式で動画メディアを提供することができる移動端末、これを含むシステムおよびこれの制御方法を提供しようとするものである。
【課題を解決するための手段】
【００１０】
前記課題を解決するために、本発明は、移動端末の制御方法において、保存部が、少なくとも一つの動画メディアを保存する第１の段階と、制御部が、前記移動端末が非活性状態から活性状態に切り換えられて、初期画面に遷移する前に、前記保存された動画メディアから既選択された少なくとも１つの動画メディアのうち、任意の動画メディアを再生して、画面全体に出力し、前記初期画面に遷移するためのユーザ命令の入力を受けるためのインタフェースを提供する第２の段階と、前記制御部が、前記ユーザ命令に従って前記初期画面に遷移する第３の段階と、を含む移動端末の制御方法御方法を提供するものである。
【００１１】
一実施例に従って、前記初期画面は、ロック解除の入力を受けるためのインタフェースを含むロック画面または前記保存部に保存されたプログラムの実行命令の入力を受けるためのインタフェースを含む背景画面であることがある。
【００１２】
一実施例に従って、前記初期画面に遷移するためのユーザ命令は、前記画面のいずれかの領域へのタッチ入力で行われるが、前記第２の段階は、前記画面のいずれかの領域へのタッチ入力により、前記初期画面に遷移することを防止するための入力を受けるためのインタフェースを提供することができる。
【００１３】
一実施例に従って、前記第２の段階は、前記初期画面に遷移することなく、既選択された少なくとも１つの動画メディアリストまたは前記保存部に保存された少なくとも１つの動画メディアリストのうち、現在再生する動画メディアへの選択入力を受けるためのインタフェースを提供することができる。
【００１４】
一実施例に従って、前記制御部は、動画メディア提供サーバから提供される動画メディアリストのうち、選択された少なくとも一つの動画メディアをダウンロードする段階と、前記ダウンロードした動画メディアを前記保存部に保存する段階と、をさらに含むことができる。
【００１５】
一実施例に従って、前記ダウンロードする段階は、前記ダウンロード途中、広告提供サーバから提供される広告リストのうち、任意の広告を画面に出力することができる。
【００１６】
一実施例に従って、前記制御部は、前記保存部に保存された動画メディアのうち、前記ユーザから選択された動画メディアを前記動画メディア提供サーバにアップロードする段階とを、さらに含むことができる。
【００１７】
一実施例に従って、前記アップロードする段階は、前記アップロード途中、広告提供サーバから提供される広告リストのうち、任意の広告を画面に出力することができる。
【００１８】
一実施例に従って、前記保存部は、既設定の曜日別の動画メディアの再生リストを保存する段階と、前記第２の段階は、前記曜日別の動画メディアの再生リストのうちの現在の曜日に対応する動画メディアの再生リストのうち、任意の動画メディアを再生して画面に出力することができる。
【００１９】
一実施例に従って、転送しようとする少なくとも一つの動画メディア、前記少なくとも１つの動画メディアを転送しようとする相手端末、および前記少なくとも１つの動画メディアを転送しようとする時刻に関する情報を前記ユーザから入力される段階と、前記転送しようとする相手端末、前記転送しようとする時刻、前記転送しようとする動画メディアに関する情報をタイムカプセルサーバに転送する段階と、前記タイムカプセルサーバは、前記の時刻になると、前記相手端末にアラーム信号を伝送する段階と、前記タイムカプセルサーバは、前記相手端末から受信した要請に従って前記少なくとも一つの動画メディアを前記相手端末に転送する段階とを、さらに含むことができる。
【００２０】
一実施例に従って、前記保存部は、前記少なくとも一つの動画メディアを保存するための第１の保存部と、少なくとも一つのサウンドメディアを保存するための第２の保存部と、を含み、前記制御部は、前記ユーザから選択された前記第１の保存部の動画メディアと前記第２の保存部のサウンドメディアのそれぞれの音量調整入力を受けるためのインタフェースを提供する段階と、前記音量調整入力によって決められた音量で、前記第１の保存部の動画メディアと前記第２の保存部のサウンドメディアとをマージする段階とを、さらに含むことができる。
【００２１】
一実施例に従って、現在の時刻が既設定されたアラーム時刻であるかどうかを判断する段階と、前記現在の時刻が既設定されたアラーム時刻の場合は、前記既設定された少なくとも１つの動画メディアのうち、任意の動画メディアを再生して、画面全体に出力する段階とを、さらに含むことができる。
【００２２】
また、本発明は、 移動端末において、少なくとも一つの動画メディアを保存する保存部と、前記移動端末が非活性状態から活性状態に切り換えられて、初期画面に遷移する前に、前記保存された動画メディアから既選択された少なくとも１つの動画メディアのうち、任意の動画メディアを再生して、画面全体に出力し、前記初期画面に遷移するためのユーザ命令の入力を受けるためのインタフェースを提供する制御部と、を含む動画メディアを提供するための移動端末を提供する。
【００２３】
また、本発明は、前記移動端末および該移動端末に前記動画メディアを転送したり、前記移動端末から前記動画メディアを転送されて保存する動画メディア提供サーバを含む、動画メディアを提供するためのシステムを提供する。
【００２４】
また、本発明は、前記移動端末の制御方法を実行するためのコンピュータプログラムを記録するためのコンピュータ読み取り可能な記録媒体を提供する。
【発明の効果】
【００２５】
本発明によれば、移動端末が非活性状態から活性状態に切り換えられ、ロック画面や背景画面が表示される前に動画プレーヤーを駆動して、画面全体に動画メディアが再生されるようにすることで、ユーザが動画メディアにアクセスするのに保存デバイス・ファイル検索プログラムを操作する手間が解消される。すなわち、ユーザが希望する動画メディアを別途操作することなく、すぐに鑑賞することができる。
【００２６】
また、ユーザの意図により、保存されかつ選択された動画メディアを再生するため、無分別な広告にさらされる恐れがなく、ストリーミング動画メディアを再生する際に、移動通信網を使用することにより発生する料金の問題への制限がない。
【図面の簡単な説明】
【００２７】
【図１】本発明の一実施例に係る移動端末の構成例を示す図である。
【図２】本発明の一実施例に係る移動端末の制御方法に対する段階別フローチャートを示す図である。
【図３】本発明の一実施例に係る移動端末を含むシステムの構成例を示す図である。
【図４ａ】本発明の一実施例に従って動画メディア提供サーバに接続した移動端末が動画メディアをダウンロードする過程を説明するための例を示す図である。
【図４ｂ】本発明の一実施例に従って動画メディア提供サーバに接続した移動端末が動画メディアをダウンロードする過程を説明するための例を示す図である。
【図４ｃ】本発明の一実施例に従って動画メディア提供サーバに接続した移動端末が動画メディアをダウンロードする過程を説明するための例を示す図である。
【図５】本発明の一実施例に従って移動端末に保存された動画メディアを動画メディア提供サーバにアップロードする画面の例を示す図である。
【図６】本発明の一実施例に従って動画メディアが再生されて出力される画面の例を示す図である。
【図７ａ】本発明の一実施例に従って動画メディアが再生される際に提供されるインタフェースの例を示す図である。
【図７ｂ】本発明の一実施例に従って動画メディアが再生される際に提供されるインタフェースの例を示す図である。
【図８】本発明の一実施例に従って曜日別の動画メディアの再生リストを設定する画面の例を示す図である。
【図９ａ】本発明の一実施例に従ってタイムカプセルサーバを利用する画面の例を示す図である。
【図９ｂ】本発明の一実施例に従ってタイムカプセルサーバを利用する画面の例を示す図である。
【図１０】本発明の一実施例に従って動画メディアを編集するインターフェース画面の例を示す図である。
【発明を実施するための形態】
【００２８】
以下では、本発明の好ましい実施例を添付した図面を参考に詳細に説明する。本発明を説明するにあたって、関連の公知技術に対する具体的な説明が本発明の要旨をぼかしうると判断される場合、その詳細な説明を省略する。図面において本発明を明確に説明するため、説明と関係のない部分は省略し、明細書全体を通じて類似する部分については同じような図面符号を付与した。また、明細書全体において、どの部分がどのような構成要素を「含む」としたとき、これは特に相反する記載がない限り、他の構成要素を除外するのではなく、もう一つの構成要素をさらに含むことができることを意味する。
【００２９】
移動端末
本発明の移動端末は、一例として、携帯電話、スマートフォン（ｓｍａｒｔ  ｐｈｏｎｅ）、ノートパソコン（ｌａｐｔｏｐ  ｃｏｍｐｕｔｅｒ）、デジタル放送用端末、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ ｍｕｌｔｉｍｅｄｉａ  ｐｌａｙｅｒ）、ナビゲーション、スレートＰＣ（ｓｌａｔｅ ＰＣ）、タブレットＰＣ（ｔａｂｌｅｔ ＰＣ）、ウルトラブック（ｕｌｔｒａｂｏｏｋ）、ウェアラブルデバイス（Ｗｅａｒａｂｌｅ  ｄｅｖｉｃｅ）などが含まれることができる。
【００３０】
図１は、本発明の一実施例に係る移動端末の構成図である。
【００３１】
移動端末１００は、無線通信部１１０、ＡＶ（Ａｕｄｉｏ／ Ｖｉｄｅｏ）入力部１２０、ユーザ入力部１３０、検知部１４０、出力部１５０、保存部１６０、制御部１７０、電源供給部１８０などを含むことができる。図１に示す構成要素が必須ではないので、それより多くの構成要素を有したり、それより少ない構成要素を有する移動端末が具現されることができる。
【００３２】
以下、各構成要素について順番に察しみる。
【００３３】
無線通信部１１０は、移動端末１００と様々なネットワーク間に通信ができるよう連結するためのものであって、少なくとも一つのネットワークを介して遠隔の各種形態の端末やサーバなどとデータを送受信することができる。したがって、本発明の一実施例に係る移動端末２００は、図３に示すように、動画メディア提供サーバ２００やタイムカプセルサーバ３００などと各種データを送受信することができる。
【００３４】
無線通信部１１０は、移動端末１００に内蔵または外付け可能なものであって、ＷＬＡＮ（Ｗｉｒｅｌｅｓｓ  ＬＡＮ）、ＷｉＦｉ（Ｗｉｒｅｌｅｓｓ  Ｆｉｄｅｌｉｔｙ）Ｄｉｒｅｃｔ、ＤＬＮＡ（登録商標）（Ｄｉｇｉｔａｌ Ｌｉｖｉｎｇ Ｎｅｔｗｏｒｋ Ａｌｌｉａｎｃｅ）、Ｗｉｂｒｏ（Ｗｉｒｅｌｅｓｓ ｂｒｏａｄｂａｎｄ）、Ｗｉｍａｘ（Ｗｏｒｌｄ Ｉｎｔｅｒｏｐｅｒａｂｉｌiｔｙ ｆｏｒ Ｍｉｃｒｏｗａｖｅ Ａｃｃｅｓｓ）、ＨＳＤＰＡ（Ｈｉｇｈ Ｓｐｅｅｄ Ｄｏｗｎｌｉｎｋ Ｐａｃｋｅｔ Ａｃｃｅｓｓ）などのような無線インターネットモジュールや移動通信モジュールであることがあり、またはブルートゥース（ Ｂｌｕｅｔｏｏｔｈ（登録商標）、ＲＦＩＤ（Ｒａｄｉｏ Ｆｒｅｑｕｅｎｃｙ Ｉｄｅｎｔｉｆｉｃａｔｉｏｎ）、赤外線通信（ Ｉｎｆｒａｒｅｄ Ｄａｔａ Ａｓｓｏｃｉａｔｉｏｎ；ＩｒＤＡ）、ＵＷＢ（Ｕｌｔｒａ Ｗｉｄｅｂａｎｄ）、ＺｉｇＢｅｅ、ＮＦＣ（Ｎｅａｒ Ｆｉｅｌｄ Ｃｏｍｍｕｎｉｃａｔｉｏｎ）などのような近距離通信（ｓｈｏｒｔ ｒａｎｇｅ ｃｏｍｍｕｎｉｃａｔｉｏｎ）モジュールであることもある。
【００３５】
前記移動通信モジュールは、移動通信のための技術標準等又は通信方式によって構築された移動通信網上において基地局、外部の端末、クライアント、サーバのうち、少なくとも一つと無線信号を送受信することができる。ここで、無線信号は、音声呼信号、ビデオ通話呼信号または文字／マルチメディアメッセージ送受信による様々な形態のデータ（または情報）を含むことができる。
【００３６】
前記無線インターネットモジュールは、無線インターネット接続のためのモジュールを指すものであって、無線インターネット技術に係る通信網から無線信号を送受信するように構成することができる。無線インターネット接続は、移動通信網を介して成されるという観点からすると、前記移動通信網を介して無線インターネットへの接続を行う前記無線インターネットモジュールは、前記移動通信モジュールの一種として理解されることもできる。
【００３７】
Ａ／Ｖ入力部１２０は、オーディオ信号またはビデオ信号の入力のためのものであって、Ａ／Ｖ入力部１２０は、カメラ１２１およびマイク１２２などを含むことができる。
【００３８】
カメラ１２１は、ビデオ通話モードまたは撮影モードなどでイメージセンサを介して得られる画像フレームを処理することにより、静止画や動画などをディスプレイ部１５１に表示したり、保存部１６０に保存することができる。
【００３９】
マイク１２２は、通話モードまたは録音モード、音声認識モード、撮影モードなどでマイクロフォン（ｍｉｃｒｏｐｈｏｎｅ）を介して外部の音響信号の入力を受け、電気的な音声データに切り換え処理することができる。この時、移動端末１００は、マイク１２２を介して外部の音響信号の入力を受ける過程で発生しうるノイズ（ｎｏｉｓｅ）を除去するために、様々なノイズ除去アルゴリズムが具現されたハードウェアやソフトウェアを含むことができる。
【００４０】
ユーザ入力部１３０は、ユーザから印加される各種命令が入力され、それに伴う入力データを発生させることができる。ユーザ入力部１３０は、キーパッド（Ｋｅｙ ｐａｄ）、ドームスイッチ（ｄｏｍｅ ｓｗｉｔｃｈ）、タッチパッド（感圧または静電）、ジョグホイール、ジョグスイッチなどで構成することができる。
【００４１】
検知部１４０は、移動端末１００の開閉状態、移動端末１００の位置、ユーザの接触の有無、移動端末の方位、移動端末の加速／減速などのように移動端末１００の現在の状態を検知し、それに応じた検知信号を発生させる。例えば、検知部１４０は、移動端末１００がスライドフォン型の場合、スライドフォンの開閉の有無を検知したり、電源供給部１８０を介した電源の供給の有無などを検知したりすることもできる。
【００４２】
出力部１５０は、視覚、聴覚、または触覚などと関連する出力を発生させるためのものであって、出力部１５０は、ディスプレイ部１５１および音響出力部１５２などを含むことができる。
【００４３】
ディスプレイ部１５１は、移動端末１００で処理される情報を画面に出力することができる。例えば、移動端末１００が撮影モードである場合に、ディスプレイ部１５１は、撮影又は／および受信された画像またはこれに関連するＵＩなどを表示したり、動画メディアを再生する場合に、ディスプレイ部１５１は、再生画像および／又はこれに関連するＵＩなどを表示することができる。
【００４４】
このようなディスプレイ部１５１は、液晶ディスプレイ（ｌｉｑｕｉｄ ｃｒｙｓｔａｌ ｄｉｓｐｌａｙ、ＬＣＤ）、薄膜トランジスタ液晶ディスプレイ（ｔｈｉｎ ｆｉｌｍ ｔｒａｎｓｉｓｔｏｒ−ｌｉｑｕｉｄ ｃｒｙｓｔａｌ ｄｉｓｐｌａｙ、ＴＦＴ ＬＣＤ）、有機発光ダイオード（ｏｒｇａｎｉｃ ｌｉｇｈｔ−ｅｍｉｔｔｉｎｇ ｄｉｏｄｅ、ＯＬＥＤ）、フレキシブルディスプレイ（ｆｌｅｘｉｂｌｅ ｄｉｓｐｌａｙ）、３次元ディスプレイ（３Ｄ ｄｉｓｐｌａｙ）、電子インクディスプレイ（ｅ−ｉｎｋ ｄｉｓｐｌａｙ）のうち少なくとも一つを含むことができる。
【００４５】
移動端末１００の具現形態によって、ディスプレイ部１５１が２つ以上存在することができ、一例として、複数のディスプレイ部が一つの面に離隔されたり、一体に配置されることができ、さらに互いに異なる面にそれぞれ配置されることもできる。
【００４６】
一方、ディスプレイ部１５１と、タッチ動作を検知するセンサ（以下、「タッチセンサ」という）が、相互レイヤー構造をなす場合（以下、「タッチスクリーン」という）に、ディスプレイ部１５１は、出力装置の外に、入力装置としても使用されることができる。タッチセンサは、例えば、タッチフィルム、タッチシート、タッチパッドなどの形態を有することができる。
【００４７】
タッチセンサは、ディスプレイ部１５１の特定の部位に加えられた圧力またはディスプレイ部１５１の特定の部位に発生する静電容量などの変化を電気的な入力信号に切り換えられるように構成することができる。タッチセンサは、タッチオブジェクトがタッチセンサ上にタッチされる位置および面積だけでなく、タッチ時の圧力までも検知することができるように構成されることができる。ここでは、タッチオブジェクトは、前記タッチセンサにタッチを印加する物体であって、例えば、指、タッチペンやスタイラスペン（Ｓｔｙｌｕｓ ｐｅｎ）、ポインタなどでもよい。
【００４８】
タッチセンサへのタッチ入力がある場合は、それに対応する信号がタッチ制御器に送られる。タッチ制御器は、その信号を処理した上、対応するデータを制御部１７０に転送する。これにより、制御部１７０は、ディスプレイ部１５１のいずれかの領域がタッチされたかどうかなどを知ることができるようになる。
【００４９】
音響出力部１５２は、呼信号の受信、通話モードまたは録音モード、音声認識モード、放送受信モードなどにおいて、無線通信部１１０から受信された、又は保存部１６０に保存されたオーティオデータを出力することができる。もちろん、音響出力部１５２は、移動端末１００にて実行される各種機能（例えば、呼信号の受信、メッセージの受信などのアラーム信号）に関連する音響信号を出力することもできる。このような音響出力部１５２には、レシーバ（ｒｅｃｅｉｖｅｒ）、スピーカー（ｓｐｅａｋｅｒ）、ブザー（ｂｕｚｚｅｒ）などが含まれることができる。
【００５０】
保存部１６０は、制御部１７０の動作のための少なくとも一つのプログラムを保存することができ、それによって入出力されるデータ等（一例として、動画メディア、サウンドメディアなど）を保存することができる。
【００５１】
保存部１６０は、フラッシュメモリタイプ（ｆｌａｓｈ ｍｅｍｏｒｙ ｔｙｐｅ）、ハードディスクタイプ（ｈａｒｄ ｄｉｓｋ ｔｙｐｅ）、マルチメディアカード、マイクロタイプ（ｍｕｌｔｉｍｅｄｉａ ｃａｒｄ ｍｉｃｒｏ ｔｙｐｅ）、カードタイプのメモリ（例えば、ＳＤまたはＸＤメモリなど）、ラム（ｒａｎｄｏｍ ａｃｃｅｓｓ ｍｅｍｏｒｙ；ＲＡＭ）、ＳＲＡＭ（ｓｔａｔｉｃ ｒａｎｄｏｍ ａｃｃｅｓｓ ｍｅｍｏｒｙ）、ローム（ｒｅａｄ−ｏｎｌｙ ｍｅｍｏｒｙ；ＲＯＭ）、ＥＥＰＲＯＭ（ｅｌｅｃｔｒｉｃａｌｌｙ ｅｒａｓａｂｌｅ ｐｒｏｇｒａｍｍａｂｌｅ ｒｅａｄ−ｏｎｌｙ ｍｅｍｏｒｙ）、ＰＲＯＭ（ｐｒｏｇｒａｍｍａｂｌｅ ｒｅａｄ−ｏｎｌｙ ｍｅｍｏｒｙ）、磁気メモリ、磁気ディスクおよび光ディスクのうち少なくとも一つのタイプの保存媒体を含むことができる。移動端末１００は、インターネット（ｉｎｔｅｒｎｅｔ）上で前記保存部１６０の保存機能を実行するウェブストレージ（ｗｅｂ ｓｔｏｒａｇｅ）と関連して動作することもできる。
【００５２】
制御部（ｃｏｎｔｒｏｌｌｅｒ、１７０）は、通常、移動端末１００の全般的な動作を制御する手段であって、各種の演算を実行したり、各種の情報を処理することができる。
【００５３】
これと関連し、本発明の一実施例に係る制御部１７０は、保存部１６０に保存された各種プログラム（一例として動画メディアプレーヤー、カメラ撮影プログラムなど）を制御または駆動することができ、これと関連して保存部１６０に保存された各種データを利用することができる。
【００５４】
これに対する具体的な説明は、後述する移動端末の制御方法においてすることとする。
【００５５】
一方、電源供給部１８０は、制御部１７０の制御により、外部の電源、内部の電源の印加を受けて移動端末１００の各構成要素の動作に必要な電源を供給する。
【００５６】
以下では、本発明に係る動画メディアを提供するための移動端末またはこれの制御方法などについての具体的な実施例を説明することとする。
【００５７】
移動端末の制御方法
図２は、本発明の一実施例に係る移動端末の制御方法に対する段階別フローチャートを示す図である。
【００５８】
図２に示すように、本発明の一実施例に係る移動端末の制御方法は、保存部１６０が、少なくとも１つの動画メディアを保存する第１の段階Ｓ１００、制御部１７０が移動端末１００が非活性状態から活性状態に切り換えられて、初期画面に遷移する前に、既選択された少なくとも１つの動画メディアのうち、任意の動画メディアを再生して、画面全体に出力して、初期画面に遷移するためのユーザ命令の入力を受けるためのインタフェースを提供する第２の段階Ｓ２００および制御部１６０は、ユーザ命令に従って初期画面に遷移する第３の段階Ｓ３００を含むことができる。
【００５９】
ただし、図２に示す段階が必須ではないので、それよりも多くの段階を有したり、それより少ない段階を有する移動端末の制御方法が具現されることもできる。
【００６０】
以下、各段階について順番に察しみる。
【００６１】
第１の段階Ｓ１００は、保存部１６０が動画メディアを保存する段階であって、前記動画メディアは、動画メディア提供サーバ２００（図３参照）からダウンロードして保存されたものであったり、Ａ／Ｖ入力部１２０を介して撮影されて保存されたものであることがある。
【００６２】
具体的には、一実施例に従って、カメラ１２１およびマイク１２２を介して取得した画像情報および音声情報を含む動画メディアを保存部１６０に保存することができ、もう一つの実施例に従って、動画メディア提供サーバ２００に通信可能なように連結された移動端末１００は、前記動画メディア提供サーバ２００からダウンロードした動画メディアを保存部１６０に保存することができる。
【００６３】
図４ａおよび４ｂは、本発明の一実施例に従って、動画メディア提供サーバに接続した移動端末が動画メディアをダウンロードする過程を説明するための例を示す図である。
【００６４】
図４ａは、動画メディア提供サーバ２００に接続した画面の一例であって、図４ａに示すように、移動端末１００が、ユーザから、ダウンロードする動画メディアの選択を受けるために、動画メディア提供サーバ２００は、ユーザに提供しようとする動画メディアを各種カテゴリ別に分類して、カテゴリのリストを移動端末１００を介してユーザに提供することができる。一例として、動画メディア提供サーバ２００に接続した移動端末１００は、ミュージックビデオＣ１、お披露、Ｃ２、映画広報Ｃ３、宗教Ｃ４、Ｋ−ｐｏｐＣ５、旅行Ｃ６、コミックＣ７、日常Ｃ８、企業広報Ｃ９などに分類されたカテゴリのリストを画面に出力して、ユーザに提供することができる。本発明は、動画メディアのカテゴリ別の分類基準については特に限定されない。
【００６５】
この時、移動端末１００が、ユーザからいずれかのカテゴリの選択が入力された場合には、動画メディア提供サーバ２００は、当該カテゴリに属するサブカテゴリのリストを移動端末１００に転送したり、選択されたカテゴリに属する動画メディアリストを移動端末１００に転送して、画面に出力するようにすることができる。一例として、図４ｂに示すように、ユーザからミュージックビデオＣ１カテゴリの選択が入力された場合、移動端末１００は、当該カテゴリに属する動画メディアリストを羅列して画面に出力することができる。ここで、動画メディアリストは、当該動画メディアの名前だけでなく、ユーザからダウンロードされた回数、ユーザから推薦された回数、再生時刻、メディアファイルの容量などのような情報を共にユーザに提供するのが望ましい。ここでユーザに提供される情報は、動画メディア提供サーバ２００が複数のユーザから収集した情報に対して統計を出して算出したものであることがあり、動画メディア提供サーバ２００が保存している動画メディアファイルの属性の情報から抽出されたものであることがある。
【００６６】
一方、移動端末１００は、ユーザからの動画メディアリストの並べ替え命令が入力されることができ、それに従って移動端末１００は、前記動画メディアリストを人気順（ユーザからダウンロードされた回数やユーザから推薦された回数などを根拠にすることができる）、または最新順（動画メディア提供サーバ２００に保存された時刻を根拠とすることができる）にソートして、画面に出力することができる。
【００６７】
もし、移動端末１００が、画面に出力された動画メディアリストのうち、少なくとも一つへの選択入力を受けた場合には、移動端末１００が選択された少なくとも一つの動画メディアのダウンロード要請を動画メディア提供サーバ２００に転送して、動画メディア提供サーバ２００は、ダウンロード要請に従って、当該動画メディアファイルを移動端末１００に転送して移動端末１００が、当該動画メディアファイルをダウンロードして保存部１６０に保存することができるようにする。
【００６８】
この時、ダウンロードプロセス中に移動端末１００は、図４ｃに示すように、画面に広告（または動画広告やバナー画像）を出力するのが望ましい。すなわち、動画メディア提供サーバ２００から転送された動画メディアリストを表す画面の一部に広告を挿入して出力することができるが、これはユーザをして拒否感を呼び起こしかねなく、ダウンロードプロセス中に広告を表示する場合には、むしろユーザがダウンロードする間に感じられる退屈さを解消することができるからである。ここで、移動端末１００が出力する広告は、ユーザから入力されたダウンロードの要請に応じて広告提供サーバ（未図示）または動画メディア提供サーバ２００が移動端末１００に提供したものであることがある。
【００６９】
一方、本発明の一実施例に従って、ユーザは、保存部１６０に保存された動画のメディアのうち、選択された少なくとも一つの動画メディアを動画メディア提供サーバ２００にアップロードすることができる。この時、アップロードする対象の動画メディアは、動画メディア提供サーバ２００からダウンロードした動画メディアや、Ａ／Ｖ入力部１２０を介して取得した動画メディア、あるいはこれらを編集した動画メディアであることがあり、その種類が特に限定されない。
【００７０】
ユーザが移動端末１００を介して動画メディア提供サーバ２００に動画メディアをアップロードするとき、図５に示すように、アップロードするカテゴリを選択して、当該カテゴリに動画メディアをアップロードしたり、または新たなカテゴリを生成し、新たに生成されたカテゴリに動画メディアをアップロードすることができる。
【００７１】
同様に、アップロードプロセス中に移動端末１００は、画面に広告（または動画広告やバナー画像）を出力するのが望ましい。すなわち、動画メディア提供サーバ２００にアップロードする保存部１６０に保存された動画のメディアリストを表す画面の一部に広告を挿入して出力することができるが、これはユーザをして拒否感を呼び起こしかねなく、アップロードプロセス中、広告を表示する場合には、むしろユーザがアップロード時間の間、感じられる退屈さを解消することができるからである。ここで、移動端末１００が出力する広告は、ユーザから入力されたダウンロードの要請によって広告提供サーバ（未図示）または動画メディア提供サーバ２００が移動端末１００に提供したものであることがある。
【００７２】
このように、ユーザからアップロードされた動画メディアを介して、動画メディア提供サーバ２００に接続されたユーザは、互いに動画メディアを共有することにより、動画メディアを媒介としてユーザが互いにコミュニケーションできるようにする環境を提供することができる。
【００７３】
ここで、本発明の一実施例に従って、ユーザが動画メディア提供サーバ２００に、特定の動画メディアをアップロードするときに、前記特定の動画メディアや、あるいはアップロードする特定のカテゴリにパスワードなどのようなロックコードを設定することができる。これにより、動画メディア提供サーバ２００は、これに対応する解除コードが入力された場合にのみ、動画メディアをダウンロードすることができるよう動画メディアを転送したり、前記特定のカテゴリに含まれた動画メディアリストを提供することができようにすることによって、匿名の複数のユーザに前記特定の動画メディアが無分別にさらされることを防止することができる。
【００７４】
第２の段階Ｓ２００は、移動端末１００が非活性状態から活性状態に切り換えられて、初期画面に遷移する前に、保存部１６０に保存された動画メディアから既選択された少なくとも１つの動画メディアのうち、任意の動画メディアを再生して、画面全体に出力するが、ユーザから前記初期画面への遷移命令の入力を受けるためのインタフェースを提供することができる。また、第３の段階Ｓ３００は、前記ユーザから前記初期画面への遷移命令が入力された場合、その命令に従って前記初期画面に遷移する段階である。
【００７５】
ここで、初期画面は、移動端末１００が非活性状態から活性状態に切り換えられる際に表示される最初の画面であって、通常、ユーザから物理的なボタン、その一例として、電源ボタンやホームボタンなどが押され、非活性状態から活性状態に切り換えられた際に表示される画面であって、初期画面は一例として、ユーザからロック解除入力（パスワード入力やパターン入力など）を受けるためのロック画面や移動端末１００に保存されたプログラムの実行命令の入力を受けるためのプログラムのアイコンが羅列された、背景画面などを指すことができる。
【００７６】
ここで、動画メディアは、静止画や、複数の静止画を順次出力するｇｉｆフォーマットのようなイメージではなく、ａｖi、ｍｐ４フォーマットなどといった音響と映像を含むことを指す。
【００７７】
具体的には、第２の段階Ｓ２００は、制御部１７０または検知部１４０が端末の画面がオンであることを検知し、検知されると、制御部１７０は、初期画面を画面に出力する前に、動画プレーヤーを実行して既選択された動画メディアのいずれかを再生して、画面に出力することができる。このとき、制御部１７０は、移動端末１００が再起動されても前記のような動作が繰り返されるようにするのが望ましい。
【００７８】
第２の段階Ｓ２００は、図６に示すように、移動端末１００が前記初期画面に遷移する前に、一番先に動画プレーヤーを実行して、これにより、ユーザによって既選択された少なくとも１つの動画メディアを再生するため、従来技術とは違って、再生される動画の画面上にプログラムのアイコンなどが配置される恐れがなく、これにより、動画メディア視聴時、妨害要素を未然に防止することができる。
【００７９】
また、ユーザは、動画メディアにアクセスするために、ファイル検索プログラムや動画プレーヤーなどを操作しなければならない煩わしさなく、ユーザは希望の動画メディアをいつでもすぐに鑑賞することができる。
【００８０】
初期画面に遷移する前に、動画プレーヤーが再生する動画メディアリストは、ユーザから既選択された少なくとも１つの動画メディアからなるが、移動端末１００の繰り返られた状態の切り換え（非活性状態から活性状態に）毎に同じ動画メディアが再生されないようにするために、再生される動画メディアは、既選択された少なくとも１つの動画メディアのうち、任意の動画メディアであるのが望ましい。このように、ユーザの意図によって選択された動画メディアを再生するため、一方的に動画メディア提供サーバ２００から提供された動画メディアを再生する技術と対比してみたとき、無分別な広告にさらされるおそれがなく、また、保存部１６０に保存された動画メディアを再生するため、ストリーミング動画メディアを再生するときに発生し得る移動通信網の使用料金の問題がなく、仮に移動端末１００が移動通信網を含む無線通信網に通信可能なように連結されなくとも正常に駆動することができる。
【００８１】
一方、移動端末１００が、初期画面に遷移する前に、動画メディアを再生するときに、前記初期画面に遷移するためのユーザの命令の入力を受けることができ、そのユーザ命令は、画面のいずれかの領域へのタッチ入力でなされることができる。すなわち、ユーザが動画プレーヤーを迅速に終了したい場合は、単に画面をタッチする行為だけで移動端末１００は、初期画面に遷移することができる。
【００８２】
初期画面に遷移するとき、移動端末１００が実行中の動画プレーヤーを終了させたり、待機モードに切り換えることにより、本発明に従って実行される動画プレーヤーが初期画面で動作する複数のプログラムに影響が及ばないようにする。
【００８３】
前記のように簡単な操作により、動画プレーヤーが終了されるので、所定の再生時間を持っている動画メディアの属性上、意図しないタッチ入力によって視聴中の動画の再生が終了されることを防止するためのインタフェースを提供するのが望ましい。したがって、図７ｂに示すように動画メディアの再生中に、タッチ入力により動画プレーヤーの実行を終了し、初期画面に遷移することを防止するために、移動端末１００は、初期画面への遷移防止のアイコンＢのようなインターフェースを提供することができる。すなわち、移動端末１００は、前記初期画面への遷移防止のアイコンＢの選択入力を介して、画面のいずれかの領域へのタッチ入力により初期画面に遷移するようにするユーザ命令を発生させるか否かの設定をすることができる。
【００８４】
この時、初期画面への遷移防止のアイコンＢは、図７ｂに示すように動画メディアの再生中、動画メディアリストが出力されるときに一緒に出力されたり、あるいは前記動画メディアリストを出力するようにするユーザ命令の入力を受けるための動画メディアの選択アイコンＳと一緒に画面に出力することができる。
【００８５】
一方、初期画面に遷移する前に、動画メディアを再生中の移動端末１００は、図７ａに示すように、画面上に動画メディアリストを出力するようにするユーザ命令の入力を受けるための動画メディアの選択アイコンＳをユーザに提供することができる。
【００８６】
すなわち、第２の段階Ｓ２００は、初期画面に遷移して動画プレーヤーを実行する過程を経ずに、既選択された動画メディアリストや保存部１６０に保存された動画メディアリストのうち、現在再生する動画メディアへの選択入力を受けるためのインタフェースを提供することができる。
【００８７】
ユーザから動画メディアの選択アイコンＳの選択入力があった場合、図７ｂに示すように、移動端末１００は、ユーザから予め設定された動画のメディアリストや保存部１６０に保存された動画メディアリストを羅列Ｌして、ユーザに提供し、羅列された動画メディアリストのうち、ユーザの選択入力があった場合、移動端末１００は、選択された該動画メディアをすぐに再生することができる。
【００８８】
このように、ユーザが視聴したい動画メディアを初期画面に遷移することなく、選ぶことができる環境を提供することで、ユーザの利便性を増大させることができる。
【００８９】
前述したように、本発明の一実施例に従って再生される動画メディアは、ユーザによって既選択された動画メディアからなるリストのうち、任意のものであるが、本発明の一実施例に従って、保存部１６０は、曜日別に動画メディアの再生リストを保存し、移動端末１００が再生しようとする動画メディアは、現在の曜日に対応する動画メディアリストのうち、選択された任意のものであることがある。
【００９０】
これにより、移動端末１００は、ユーザから曜日別の動画メディアの再生リストを設定する入力を受けることができる。これに対する具体的な例として、移動端末１００が設定入力を受けるためにユーザに曜日毎に再生される動画メディアリストを設定するようにするインタフェースを提供したり、図８に示すように、いずれかの動画メディアが再生される曜日を選択するようにするインタフェースを提供することができる。
【００９１】
このように、曜日毎に再生したい動画メディアリストが設定され、設定に従って、移動端末１００が曜日に応じた動画メディアを再生することにより、ユーザは、好みに合わせてカスタマイズされた動画メディアの提供を受け、満足度が向上される。
【００９２】
一方、本発明の一実施例に従って、移動端末１００の制御方法は、転送しようとする少なくとも一つの動画メディア、前記少なくとも１つの動画メディアを転送しようとする相手、前記動画メディアを転送しようとする時刻に対する情報をユーザから入力される段階、このように入力された情報およびこれに基づく動画メディアをタイムカプセルサーバ３００に転送する段階、タイムカプセルサーバ３００が前記時刻に至ると、前記相手にアラーム信号を伝送する段階、およびタイムカプセルサーバ３００が前記相手端末から受信した要請に応じて前記少なくとも一つの動画メディアを前記相手の端末に転送する段階、をさらに含むことができる。
【００９３】
図９ａおよび９ｂは、本発明の一実施例に従ってタイムカプセルサーバを利用する画面の例を示す図である。
【００９４】
ユーザは、特定の相手に告白、懐かしさ、誕生日のお祝い、愛のメッセージのようなビデオレターを相手に転送することができ、希望の日付と時刻に選択された動画メディアが転送されるようにするために、移動端末１００は、ユーザの入力によって転送しようとする相手の情報（一例として携帯端末の電話番号など）、転送しようとする時刻（図９ａを参照）、そして転送しようとする動画メディアリストなどを設定することができる。
【００９５】
設定が完了した移動端末１００は、タイムカプセルサーバ３００に前記相手の情報および時刻情報と一緒に動画メディアを転送することができる。
【００９６】
タイムカプセルサーバ３００は、現在の時刻を算出するタイマー（未図示）を利用して、現在の時刻が、前記設定された日付と時刻に至った場合、対応する相手（具体的には、相手端末）にアラーム信号を伝送し、前記相手端末から動画メディア転送要請があった場合、その要請に応じて前記移動端末１００からアップロードされた動画メディアを前記相手端末に転送することができる。
【００９７】
ここで、タイムカプセルサーバ３００が動画メディアではなく、アラーム信号を伝送することは、本発明のように、初期画面に遷移する前に駆動される動画プレーヤーがインストールされていない相手端末にも転送された動画メディアを再生することができるようにするためであり、ここで、アラーム信号はアラーム信号を受信したユーザをして転送された動画メディアにアクセスしたり、ダウンロードすることができるように誘導するためのプッシュメッセージ（ｐｕｓｈ ｍｅｓｓａｇｅ）、文字メッセージ（ｔｅｘｔ  ｍｅｓｓａｇｅ）等であることがある。
【００９８】
一方、本発明の一実施例に係る移動端末１００の制御方法は、保存部１６０に保存された動画メディアを編集するためのインタフェースを提供する段階をさらに含むことができる。
【００９９】
具体的には、保存部１６０は、少なくとも一つの動画メディアを保存するための第１の保存部および少なくとも一つのサウンドメディアを保存するための第２の保存部を含むことができ、前記第１の保存部に保存された少なくとも一つの動画メディアと前記第２の保存部に保存された少なくとも一つのサウンドメディアをマージするようにするインターフェースを提供することができる。
【０１００】
図１０は、本発明の一実施例に従って動画メディアを編集するインターフェース画面の例を示す図である。
【０１０１】
一例として、図１０に示すように、移動端末１００は、Ａ／Ｖ入力部１２０によって撮影されて保存されたり、動画メディア提供サーバ２００からダウンロードして保存された動画メディアのうち、選択された動画メディアの音量と、保存部１６０に保存されたサウンドメディアのうち、選択されたサウンドメディアの音量を調整することができるユーザ入力を受けるためのインタフェースを提供することができ、移動端末１００は、ユーザによって設定された音量に調整された動画メディアとサウンドメディアをマージして、新たな動画メディアを生成して、保存部１６０に保存することができる。
【０１０２】
このように新たに生成された動画メディアは、前述したように、初期画面に遷移する前に、活性状態に切り換えられる際に、一番先に再生されるように設定されるか、動画メディア提供サーバ２００にアップロードして他のユーザと共有したり、タイムカプセルサーバ３００にアップロードして、特定の時刻に特定の相手端末に転送するようにするなど、多様に活用することができる。
【０１０３】
一方、本発明の一実施例に従って、移動端末１００の制御方法は、現在の時刻が既設定されたアラームの時刻であるかどうかを判断する段階と、前記現在時刻が既設定されたアラーム時刻の場合は、前記既設定の少なくとも一つの動画メディアのうち、任意の動画メディアを再生して、画面全体に出力する段階をさらに含むことができる。
【０１０４】
通常、アラーム機能を備えた移動端末の場合、ユーザによって設定されたアラーム時刻に音響出力部１５２を介して既設定の音を出力する。
【０１０５】
しかし、本発明の一実施例に係る移動端末１００は、アラーム時刻に非活性状態から活性状態に切り換えられ、初期画面に遷移する前に、ユーザによって既設定された動画を再生すれば、ユーザの注意をより一層集中させることができ、したがって、アラームの効果を極大化することができる。
【０１０６】
コンピュータ読み取り可能な記録媒体
以上、説明した本発明の一実施例に係る移動端末の制御方法は、様々なコンピュータの構成要素を介して実行され得るプログラムコマンドの形で具現され、コンピュータ読み取り可能な記録媒体に記録されることができる。
【０１０７】
前記コンピュータ読み取り可能な記録媒体は、プログラムコマンド、データファイル、データ構造などを単独で、または組み合わせて含むことができる。前記コンピュータ読み取り可能な記録媒体に記録されるプログラムコマンドは、本発明のために特別に設計されて構成されたものであったり、コンピュータソフトウェア分野の当業者に公知されて使用可能なものであることがある。コンピュータ読み取り可能な記録媒体の例には、ハードディスク、フロッピーディスク、および磁気テープのような磁気媒体、ＣＤ−ＲＯＭ、ＤＶＤのような光記録媒体、フロプティカルディスク（ｆｌｏｐｔｉｃａｌ  ｄｉｓｋ）のような磁気−光媒体（ｍａｇｎｅｔｏ−ｏｐｔｉｃａｌ ｍｅｄｉａ）、およびＲＯＭ、ＲＡＭ、フラッシュメモリなどのようなプログラムコマンドを保存して実行するように特別に構成されたハードウェアデバイスが含まれる。プログラムコマンドの例としては、コンパイラによって作られるような機械語コードだけでなく、インタプリタなどを使用して、コンピュータによって実行され得る高級言語コードも含まれる。前記ハードウェア装置は、本発明に係る処理を実行するための１つ以上のソフトウェアモジュールとして動作するように構成することができ、その逆も同様である。
【０１０８】
以上、本発明の好適な実施例を図面を参照して詳細に説明した。本発明の説明は、例示のためのものであり、本発明が属する技術分野で通常の知識を有する者は、本発明の技術的思想や必須の特徴を変更することなく、他の具体的な形に容易に変形可能であることを理解できるであろう。
【０１０９】
したがって、本発明の範囲は、前記詳細な説明よりは、後述する特許請求の範囲によって表れており、特許請求の範囲の意味、範囲およびその均等概念から導き出されるすべての変更または変形された形態が本発明の範囲に含まれるものと解釈されるべきである。
【符号の説明】
【０１１０】
１００：移動端末
１１０：無線通信部
１２０：Ａ／Ｖ入力部
１３０：ユーザ入力部
１４０：検知部
１５０：出力部
１６０：保存部
１７０：制御部
１８０：電源供給部
【図１】
2017225103.tif 000003
【図２】
2017225103.tif 000004
【図３】
2017225103.tif 000005
【図４ａ】
2017225103.tif 000006
【図４ｂ】
2017225103.tif 000007
【図４ｃ】
2017225103.tif 000008
【図５】
2017225103.tif 000009
【図６】
2017225103.tif 000010
【図７ａ】
2017225103.tif 000011
【図７ｂ】
2017225103.tif 000012
【図８】
2017225103.tif 000013
【図９ａ】
2017225103.tif 000014
【図９ｂ】
2017225103.tif 000015
【図１０】
2017225103.tif 000016